(57)【要約】【課題】  ボタンを操作せずに、複数の情報をスピーディに入力できる携帯端末及び携帯端末の情報入力方法を提供する。【解決手段】  携帯電話機に、電話機本体に与えられた振動又は衝撃又は質量の支持体の変位という動きを検出する振動センサ又は加速度センサ又は変位センサを用いた動き検出手段７を設ける。この動き検出手段７の検出信号から動きの与え方を示す動きデータを動きデータ生成手段１０を用いて検出し、生成する。入力情報識別手段１１は、動きデータから動きの与え方に関する２以上の属性の内の一つを識別し、この識別された属性に対応する情報を制御部８の処理手段８ａに入力する。これにより、表示部３への表示処理やテキスト文記入処理、発呼、着呼応答等を行う処理手段８ａに対して、ボタンを操作せずに、表示スクロールやページ送り／戻し、改行、漢字変換、発呼、着呼応答等を指示する複数の情報入力を行う。【選択図】  図２
2005332118.tif 000002
【特許請求の範囲】
【請求項１】
携帯端末の機能を実現するための処理を行う処理手段と、携帯端末本体に与えられた動きを検出する動き検出手段と、前記動きの与え方を示す動きデータを生成する動きデータ生成手段と、前記生成された動きデータから前記動きの与え方に関する２以上の属性の内の一つを識別し該識別された属性に対応する情報を前記処理手段に入力する入力情報識別手段とを、有してなることを特徴とする携帯端末。
【請求項２】
前記動き検出手段が振動センサであり、前記動きデータ生成手段は前記振動センサの検出信号から振動の強さ、方向、周波数、継続時間、断続回数の１つ以上の動きデータを検出し生成するものであることを特徴とする請求項１記載の携帯端末。
【請求項３】
前記動き検出手段が加速度センサであり、前記動きデータ生成手段は前記加速度センサの検出信号から衝撃の強さ、方向、回数、時間間隔、与えられた位置の１つ以上の動きデータを検出し生成するものであることを特徴とする請求項１記載の携帯端末。
【請求項４】
前記動き検出手段が質量で変位可能な支持体の変位を検出する変位センサであり、前記動きデータ生成手段は前記変位センサの検出信号から前記支持体の変位の大きさ、方向、発生回数、発生時間間隔、与えられた位置の１つ以上の動きデータを検出し生成するものであることを特徴とする請求項１記載の携帯端末。
【請求項５】
前記入力情報識別手段における情報の一つが、前記処理手段に対して表示スクロールを指示する情報であることを特徴とする請求項１乃至４のいずれか１に記載の携帯端末。
【請求項６】
前記入力情報識別手段における情報の一つが、前記処理手段に対して一方向への表示スクロールを指示する情報であり、前記入力情報識別手段における情報の別の一つが、前記処理手段に対して他の方向への表示スクロールを指示する情報であることを特徴とする請求項１乃至４のいずれか１に記載の携帯端末。
【請求項７】
前記入力情報識別手段における情報の一つが、前記処理手段に対してページ送りを指示する情報であることを特徴とする請求項１乃至６のいずれか１に記載の携帯端末。
【請求項８】
前記入力情報識別手段における情報の一つが、前記処理手段に対してページ戻りを指示する情報であることを特徴とする請求項１乃至７のいずれか１に記載の携帯端末。
【請求項９】
前記入力情報識別手段における情報の一つが、前記処理手段に対して改行を指示する情報であることを特徴とする請求項１乃至８のいずれか１に記載の携帯端末。
【請求項１０】
前記入力情報識別手段における情報の一つが、前記処理手段に対して漢字変換を指示す情報であることを特徴とする請求項１乃至９のいずれか１に記載の携帯端末。
【請求項１１】
前記入力情報識別手段における情報の一つが、前記処理手段に対して発呼を指示する情報であることを特徴とする請求項１乃至１０のいずれか１に記載の携帯端末。
【請求項１２】
前記入力情報識別手段における情報の一つが、前記処理手段に対して着呼応答を指示する情報であることを特徴とする請求項１乃至１１のいずれか１に記載の携帯端末。
【請求項１３】
携帯端末の機能を実現するための処理を行う処理段階と、前記処理の途中において携帯端末本体に与えられた動きを検出する動き検出段階と、前記動きの与え方を示す動きデータを生成する動きデータ生成段階と、前記生成された動きデータから前記動きの与え方に関する２以上の属性の内の一つを識別し該識別された属性に対応する情報を前記処理に入力して前記処理段階に戻る入力情報識別段階とを、有することを特徴とする携帯端末の情報入力方法。
【請求項１４】
前記動き検出段階では振動センサを用いて振動を検出し、前記動きデータ生成段階では前記検出された振動の強さ、方向、周波数、継続時間、断続回数の１つ以上の動きデータを検出し生成することを特徴とする請求項１３記載の携帯端末の情報入力方法。
【請求項１５】
前記動き検出段階では加速度センサを用いて衝撃を検出し、前記動きデータ生成段階では前記検出された衝撃の強さ、方向、回数、時間間隔、与えられた位置の１つ以上の動きデータを検出し生成することを特徴とする請求項１３記載の携帯端末の情報入力方法。
【請求項１６】
前記動き検出段階では変位センサを用いて質量で変位可能な支持体の変位を検出し、前記動きデータ生成段階では前記検出された前記支持体の変位の大きさ、方向、発生回数、発生時間間隔、与えられた位置の１つ以上の動きデータを検出し生成することを特徴とする請求項１３記載の携帯端末の情報入力方法。
【発明の詳細な説明】
【技術分野】
【０００１】
この発明は、携帯電話機等の携帯端末及び携帯端末の情報入力方法に係り、詳しくは、ボタンを押したり回したりして情報を入力するのではなく、携帯端末を振ったり、携帯端末を叩いたりするなどして振動や衝撃、質量（重り）の支持体の変位を発生させ、その振動や衝撃、変位の与え方に関する２以上ある属性の一つを識別して、その属性に対応する情報を入力することにより、複数通りの情報をスピーディに入力できるようにした携帯端末及び携帯端末の情報入力方法に関する。
【背景技術】
【０００２】
従来の携帯端末は、主にボタンを押したり回したりすることで情報入力を行うのが一般的である。これに対して、携帯端末にセンサを取り付けて、特定の操作を行う技術が提案されている。
【０００３】
その一例として、特許文献１には、装置本体の回路基板に外部衝撃力により歪みが発生したことを抵抗値の変化で検出する抵抗線ひずみゲージ回路を取り付け、電圧値測定回路で抵抗値の変化を測定し、測定した電圧変動値を衝撃力検知回路で検知して衝撃力認識回路へ通知し、衝撃力認識回路が通知された電圧変動値に応じて対処方法を選択し警告通知回路へ通知する構成により、携帯端末装置に加わる外部力を検知してユーザへ警告を発する衝撃力検知装置を提供する技術が記載されている。
【０００４】
また、特許文献２では、携帯電話機に加速度センサを備え、操作者が装置本体を所定回数振ると制御部がこれを検知して、無線部が着信している場合にスピーカによる着信音の鳴動を停止させてバイブレータの振動に切り換えることにより車内等での他人への迷惑を防止したり、或いは、その検知によって表示部等の照明を行うバックライト等の照明手段を点灯させて暗い場所でも操作を容易にしたりしている。
【０００５】
また、特許文献３には、携帯端末に搭載されたＣＰＵが、無線回線網を介して着呼があった旨の情報を取得すると、衝撃検知部を起動させるとともに、利用者に対して着呼を報知し、この報知中に利用者が携帯端末に衝撃を与える等すると、所定値以上の衝撃を衝撃検知部が検知して外部から衝撃が与えられた旨をＣＰＵへ通知し、これを受けてＣＰＵがその報知を停止するという技術が記載されている。このような構成によれば、報知が実施されている間に外部から衝撃が与えられたことを受けて報知を停止するので、例えば、電車内等の音響の発生による報知が好ましくない場所において、着呼報知の他、メール受信時に行うメール受信報知、所定時間になったことを報知するアラーム報知等が行われた場合にも、端末が入ったバッグ等を揺する等の簡単な行動によって即座に当該報知を停止又は低減させることができるとしている。
【０００６】
また、特許文献４には、携帯端末装置に一定以上の加速度または振動を検知する応答センサを設けると共に、手の接触／非接触を検知するか、又はスイッチのオン／オフにより誤応答を防止する誤応答防止センサを設け、この誤応答防止センサが手の接触を検知しているか、又はスイッチがオン状態であって応答センサが一定以上の加速度または振動を検知したとき、オフフック動作を行う制御手段を設けるという技術が記載されている。上記構成によれば、着信があった場合キーパッドを注視することなく片手で容易に応答することができ、しかも鞄等に入れた状態で予期しない加速度や振動が加わった場合でも誤応答することはないとしている。
【特許文献１】特開２０００−１６２２３１号公報
【特許文献２】特開２００２−３５４０９７号公報
【特許文献３】特開２００２−３６８８４１号公報
【特許文献４】特開平０９−２６１２９９号公報
【発明の開示】
【発明が解決しようとする課題】
【０００７】
しかしながら、上述の従来技術では、携帯端末に設けたセンサの検出信号から操作できるのは照明手段の制御や着呼応答、着信音の鳴動停止、着信バイブレータへの切り換え等の一つの特定操作に限られているという問題がある。携帯端末は小型高機能化が進んでおり、ボタンを増やすには限界があり、限られたボタンで多数の情報を入力しようとすれば、ボタンを用いた選択操作等により操作回数が多くなって情報入力のスピードが遅くなると共に、ボタン操作が煩雑で覚えにくくなるという問題が発生する。しかし、上記従来技術では、ボタン操作無しに操作できるのは一つの特定操作に限られているため、この問題に対処することは困難である。
【０００８】
この発明は、上述の事情に鑑みてなされたものであって、ボタンを操作せずに、複数の情報をスピーディに入力できる携帯端末及び携帯端末の情報入力方法を提供することを目的としている。
【課題を解決するための手段】
【０００９】
上述の課題を解決するため、請求項１記載の発明は、携帯端末が、携帯端末の機能を実現するための処理を行う処理手段と、携帯端末本体に与えられた動きを検出する動き検出手段と、前記動きの与え方を示す動きデータを生成する動きデータ生成手段と、前記生成された動きデータから前記動きの与え方に関する２以上の属性の内の一つを識別し該識別された属性に対応する情報を前記処理手段に入力する入力情報識別手段とを、有してなることを特徴としている。
【００１０】
また、請求項２記載の発明は、請求項１記載の携帯端末に係り、前記動き検出手段が振動センサであり、前記動きデータ生成手段は前記振動センサの検出信号から振動の強さ、方向、周波数、継続時間、断続回数の１つ以上の動きデータを検出し生成するものであることを特徴としている。
【００１１】
また、請求項３記載の発明は、請求項１記載の携帯端末に係り、前記動き検出手段が加速度センサであり、前記動きデータ生成手段は前記加速度センサの検出信号から衝撃の強さ、方向、回数、時間間隔、与えられた位置の１つ以上の動きデータを検出し生成するものであることを特徴としている。
【００１２】
また、請求項４記載の発明は、請求項１記載の携帯端末に係り、前記動き検出手段が質量で変位可能な支持体の変位を検出する変位センサであり、前記動きデータ生成手段は前記変位センサの検出信号から前記支持体の変位の大きさ、方向、発生回数、発生時間間隔、与えられた位置の１つ以上の動きデータを検出し生成するものであることを特徴としている。
【００１３】
また、請求項５記載の発明は、請求項１乃至４のいずれか１に記載の携帯端末に係り、前記入力情報識別手段における情報の一つが、前記処理手段に対して表示スクロールを指示する情報であることを特徴としている。
【００１４】
また、請求項６記載の発明は、請求項１乃至４のいずれか１に記載の携帯端末に係り、前記入力情報識別手段における情報の一つが、前記処理手段に対して一方向への表示スクロールを指示する情報であり、前記入力情報識別手段における情報の別の一つが、前記処理手段に対して他の方向への表示スクロールを指示する情報であることを特徴としている。
【００１５】
また、請求項７記載の発明は、請求項１乃至６のいずれか１に記載の携帯端末に係り、前記入力情報識別手段における情報の一つが、前記処理手段に対してページ送りを指示する情報であることを特徴としている。
【００１６】
また、請求項８記載の発明は、請求項１乃至７のいずれか１に記載の携帯端末に係り、前記入力情報識別手段における情報の一つが、前記処理手段に対してページ戻りを指示する情報であることを特徴としている。
【００１７】
また、請求項９記載の発明は、請求項１乃至８のいずれか１に記載の携帯端末に係り、前記入力情報識別手段における情報の一つが、前記処理手段に対して改行を指示する情報であることを特徴としている。
【００１８】
また、請求項１０記載の発明は、請求項１乃至９のいずれか１に記載の携帯端末に係り、前記入力情報識別手段における情報の一つが、前記処理手段に対して漢字変換を指示する情報であることを特徴としている。
【００１９】
また、請求項１１記載の発明は、請求項１乃至１０のいずれか１に記載の携帯端末に係り、前記入力情報識別手段における情報の一つが、前記処理手段に対して発呼を指示する情報であることを特徴としている。
【００２０】
また、請求項１２記載の発明は、請求項１乃至１１のいずれか１に記載の携帯端末に係り、前記入力情報識別手段における情報の一つが、前記処理手段に対して着呼応答を指示する情報であることを特徴としている。
【００２１】
一方、請求項１３記載の発明は、携帯端末の情報入力方法が、携帯端末の機能を実現するための処理を行う処理段階と、前記処理の途中において携帯端末本体に与えられた動きを検出する動き検出段階と、前記動きの与え方を示す動きデータを生成する動きデータ生成段階と、前記生成された動きデータから前記動きの与え方に関する２以上の属性の内の一つを識別し該識別された属性に対応する情報を前記処理に入力して前記処理段階に戻る入力情報識別段階とを、有することを特徴としている。
【００２２】
また、請求項１４記載の発明は、請求項１３記載の携帯端末の情報入力方法に係り、前記動き検出段階では振動センサを用いて振動を検出し、前記動きデータ生成段階では前記検出された振動の強さ、方向、周波数、継続時間、断続回数の１つ以上の動きデータを検出し生成することを特徴としている。
【００２３】
また、請求項１５記載の発明は、請求項１３記載の携帯端末の情報入力方法に係り、前記動き検出段階では加速度センサを用いて衝撃を検出し、前記動きデータ生成段階では前記検出された衝撃の強さ、方向、回数、時間間隔、与えられた位置の１つ以上の動きデータを検出し生成することを特徴としている。
【００２４】
また、請求項１６記載の発明は、請求項１３記載の携帯端末の情報入力方法に係り、前記動き検出段階では変位センサを用いて質量で変位可能な支持体の変位を検出し、前記動きデータ生成段階では前記検出された前記支持体の変位の大きさ、方向、発生回数、発生時間間隔、与えられた位置の１つ以上の動きデータを検出し生成することを特徴としている。
【発明の効果】
【００２５】
以上説明したように、この発明の構成によれば、ボタンを使用しないで複数の情報入力を行うことができるため、指による入力作業が減り、入力のスピードが早くなる。また、携帯端末は小型高機能化し、ボタン数を増加させる要因がある一方で、携帯端末に配置できるボタンの数は携帯端末の大きさに依存し、増やしたくても増やせないが、この発明の構成によれば、ボタンを使わないで複数の情報を入力できるため、小型高機能化への対応が可能となる。
【発明を実施するための最良の形態】
【００２６】
この発明は、ボタンを操作せずに、複数の情報をスピーディに入力できる携帯端末及び携帯端末の情報入力方法を提供するという目的を、携帯端末に、携帯端末本体に与えられた振動又は衝撃又は質量の支持体の変位に関する動きを検出する振動センサ又は加速度センサ又は変位センサを用いた動き検出手段の検出信号から前記動きの与え方を示す動きデータを動きデータ生成手段を用いて検出、生成し、入力情報識別手段を用いて、前記動きデータから動きの与え方に関する２以上の属性の内の一つを識別して該識別された属性に対応する情報を携帯端末の処理手段に入力する構成により、表示部への表示処理や入力処理、発呼、着呼応答等を行う処理手段に対して、ボタンを操作せずに、表示スクロールやページ送り／戻し、改行、漢字変換、発呼、着呼応答等を指示する複数の情報を入力できるようすることで実現した。
【実施例１】
【００２７】
以下、図面を参照して、この発明の実施の形態について説明する。説明は、実施例を用いて具体的に行う。
図１は、この発明の第１の実施例である携帯電話機の外観図である。この携帯電話機１は、電話機本体２の表面に通常の携帯電話機と同様に、液晶ディスプレイ等を用いた表示部３、ボタン操作部４、マイクロフォン５及びスピーカ６を配置している。また、電話機本体２の内部には動き検出手段７として振動センサ（以下、この実施例ではその符号を７と記す）が配置されている。この振動センサ７としては、例えば、バネ・マス系や弾性樹脂等の弾性系により急には動かないように支持された永久磁石を電話機本体２と共に動く導体に流れる誘導電流や渦電流で振動を検出する等の公知のものが使用できる。振動の方向としては１軸でも良いし、２軸（上下、左右等）でも、３軸（上下、左右、前後）でも良い。検出方向が２軸、３軸である振動センサ７の検出信号としては、論理和出力のものであっても良いし、方向別に出力するものであっても良いが、以下の動作例で必要とされるものを使用する。
【００２８】
図２は、この実施例の携帯電話機１の電気的構成を示すブロック図である。携帯電話機１は、携帯電話機の各種の機能を実現するための処理を行う処理手段８ａを有して以下の各部を制御する制御部８を備えている。制御部８は、図示しないＣＰＵ（中央処理装置）と処理手段８ａとしての処理及び各部の制御を実行するためのプログラムを格納したＲＯＭ（リード・オンリ・メモリ）及び各種データを格納するためのＲＡＭ（ランダム・アクセス・メモリ）を備えている。この制御部８は、図示しないインタフェイス回路あるいは駆動回路を介して、表示部３、ボタン操作部４、マイクロフォン５、スピーカ６、及び無線の送受信を行う無線部９等と接続されている。また、ユーザが意図的に携帯電話機１に振動を与えた場合の振動センサ７の検出信号は、動きデータ生成手段１０に入力され、動きデータ生成手段１０で周波数の値や振動の方向、断続回数等が検出されてデータ化され入力情報識別手段１１に入力される。入力情報識別手段１１は、この動きデータにより振動の与え方に関する２以上の属性、例えば、どの程度の周波数（高い、低い等）で与えられた振動かという属性や前後、左右、上下のいずれの方向から与えられた振動であるかという属性等を識別し、識別した属性に対応する情報を制御部８の処理手段８ａに入力する。なお、ユーザが意図しない携帯電話機１の振動を無効にするためには、上述の例で言えば、永久磁石を支持する弾性系の固有周波数を高くしたり（弾性系を硬くする）、検出信号を取り出す際の閾値を大きくしたりして調整する。
【００２９】
次に、この実施例の動作の第１例として、ユーザが意図的に携帯電話機１に与えた振動の周波数を検出して情報入力する例を説明する。図３は、その動作例を説明するフローチャートであり、Ｓ１〜Ｓ６は処理のステップを表す。まず、制御部８の処理手段８ａが、例えば、ｗｅｂ等の閲覧画面の一部を表示部３に表示する処理を行っているとする（Ｓ１）。この処理が終了されることなく継続している途中（Ｓ２）で、ユーザが意図的に携帯電話機１に振動を与えたか否かを、周期的に或いは割り込みによって検出する（Ｓ３）。ユーザが意図的に携帯電話機１に振動を与えたことを検出した場合には、動きデータ生成手段１０が振動センサ７の検出信号から振動の与え方を表している周波数を検出して動きデータを生成する（Ｓ４）。続いて、入力情報識別手段１１が、この動きデータを取り込み振動の与え方に関する属性として、高い周波数で与えたか低い周波数で与えたか等の属性を識別し（Ｓ５）、識別した属性に対応する情報として、例えば、低い周波数による場合には後方への表示スクロールの指示情報を、高い周波数による場合には前方への表示スクロールの指示情報を処理手段８ａの上記処理に対して入力する（Ｓ６）。これを受けて、処理手段８ａは入力された表示スクロールの指示を実行する。
【００３０】
次に、この実施例の動作の第２例として、ユーザが意図的に携帯電話機１に与えた振動の方向を検出して情報入力する例を、同じく図３のフローチャートを用いて説明する。まず、制御部８の処理手段８ａが、例えば、ｗｅｂ等の閲覧画面の或るページを表示部３に表示する処理を行っているとする（Ｓ１）。この処理が終了されることなく継続している途中（Ｓ２）で、ユーザが意図的に携帯電話機１に振動を与えたか否かを、周期的に或いは割り込みによって検出する（Ｓ３）。ユーザが意図的に携帯電話機１に振動を与えたことを検出した場合には、動きデータ生成手段１０が振動センサ７の検出信号から振動の与え方を表している振動の方向を検出して動きデータを生成する（Ｓ４）。続いて、入力情報識別手段１１が、この動きデータを取り込み、振動の与え方に関する属性として、前後方向から与えられたか、左右方向から与えられたか等の属性を識別し（Ｓ５）、識別した属性に対応する情報として前後方向からの場合にはページ送りの指示情報を、左右方向からの場合にはページ戻りの指示情報を処理手段８ａの上記処理に対して入力する（Ｓ７）。これを受けて、処理手段８ａは入力されたページ送り或いはページ戻りの指示を実行する。
【００３１】
次に、この実施例の動作の第３例として、ユーザが意図的に携帯電話機１に与えた連続する振動の断続回数を検出して情報入力する例を、同じく図３のフローチャートを用いて説明する。まず、制御部８の処理手段８ａが、例えば、テキスト文の記入画面を表示部３に表示し、ユーザにテキスト文を記入させる処理を行っているとする（Ｓ１）。この処理が終了されることなく継続している途中（Ｓ２）で、ユーザが意図的に携帯電話機１に振動を与えたか否かを、周期的に或いは割り込みによって検出する（Ｓ３）。ユーザが意図的に携帯電話機１に振動を与えたことを検出した場合には、動きデータ生成手段１０が振動センサ７の検出信号から連続する振動の断続回数をカウントした値を振動の与え方として検出して動きデータを生成する（Ｓ４）。続いて、入力情報識別手段１１が、この動きデータを取り込み、振動の与え方に関する属性として、断続されずに与えられたか（断続回数１）、断続されて与えられたか（断続回数２）等の属性を識別し（Ｓ５）、識別した属性に対応する情報として断続なしの場合には漢字変換の指示情報を、断続ありの場合には改行の指示情報を処理手段８ａの上記処理に対して入力する（Ｓ６）。これを受けて、処理手段８ａは入力された漢字変換或いは改行の指示を実行する。
【００３２】
以上のように、これらの動作例では、ユーザが意図的に携帯電話機１に振動を与えることによって情報を入力するが、その際、携帯電話機１を縦（上下）に振ったり、横（左右）に振ったり、前後に降ったり、或いは、断続回数を変えて連続振動を与えたりする等の振動の与え方の属性を識別し、その属性に対応する情報を入力することで、振動の与え方により数通りの情報を入力できるようにしている。上述のように、ユーザがテキスト文を記入する際に、携帯電話機１への振動の与え方によって、改行をする、もしくは漢字変換をする等の設定を行えば、ユーザのボタンの入力回数が減り、入力スピードがあがる。また、ｗｅｂ等の閲覧の際に、携帯電話機１への振動の与え方によってページ送りやページ戻りを指示する設定を行なえば、ボタンを操作することなくｗｅｂ等の閲覧が可能になる。これらを応用すれば、例えば、防水・防塵ホルダ等の中にある状態でボタン入力が出来ない状況においても、数通りの操作が可能となる。
【実施例２】
【００３３】
次に、この発明の第２の実施例である携帯電話機について説明する。この携帯電話機の外観や電気的構成は図１、図２と同様であるが、電話機本体２の内部に配置されている動き検出手段７が加速度センサ（以下、この実施例ではその符号を７と記す）である点で異なる。この加速度センサ７としては、例えば、質量（重り）をダイヤフラム等の弾性体により支持し、この質量（重り）の反作用として動く弾性体の動きを圧電素子や歪みゲージ、ロードセル等で電気信号に変換して出力する等の公知のものが使用できる。加速度センサ７が検出する加速度の方向としては、１軸でも良いし、２軸（上下、左右等）でも、３軸（上下、左右、前後）でも良い。検出方向が２軸、３軸である加速度センサ７の検出信号としては、論理和出力のものであっても良いし、方向別に出力するものであっても良いが、衝撃の与え方の属性として衝撃の方向を用いる動作例では方向別に出力するものを使用する。
【００３４】
この実施例の動作例に関しては、第１の実施例の動作例と同様であるが、動き検出手段７が加速度センサであるため、携帯電話機１に与えられる動きが衝撃である点で異なり、識別する属性が異なる。すなわち、図３のフローチャートを用いて動作例を説明すると、ステップ１，２は第１の実施例と同様であるが、ステップＳ３では加速度センサ７を用いて衝撃を検出し、ユーザが意図的に携帯電話機１に衝撃を与えたか否かを、周期的に或いは割り込みによって検出する。次に、ユーザが意図的に携帯電話機１に衝撃を与えたことを検出した場合、ステップＳ４では、動きデータ生成手段１０が、例えば、加速度センサ７の検出信号から衝撃の強さを検出してＡ／Ｄ変換し、衝撃の与え方として衝撃の強さを示す動きデータを生成する。続いて、ステップＳ５では、入力情報識別手段１１が、この動きデータを取り込み、衝撃の与え方に関する属性として、強い衝撃を与えたか弱い衝撃を与えたか等の属性を識別し、ステップ６では、識別した属性に対応する情報として、例えば、強い衝撃による場合には後方への表示スクロールやページ送り等の指示情報を、弱い衝撃による場合には前方への表示スクロールやページ戻り等の指示情報を処理手段８ａが実行している処理に対応して入力する。これを受けて、処理手段８ａは入力された指示を実行する。
【００３５】
衝撃の与え方の属性として、衝撃の方向を用いる場合には、２軸又は３軸の方向別の検出信号を出力する加速度センサを用いる。この場合の動作例は、第１の実施例の動作の第２例から容易に類推可能なので説明は省略する。また、衝撃の与え方の属性として、衝撃の回数を用いる場合には、ステップ４において、動きデータ生成手段１０が、加速度センサ７の検出信号から衝撃の回数をカウントし、衝撃の与え方として衝撃の回数を示す動きデータを生成する。この場合の動作例は、第１の実施例の動作の第３例から容易に類推可能なのでその他の説明は省略する。
【実施例３】
【００３６】
次に、この発明の第３の実施例である携帯電話機について説明する。この携帯電話機の外観や電気的構成は図１、図２と同様であるが、電話機本体２の内部に配置されている動き検出手段７が変位センサ（以下、この実施例ではその符号を７と記す）である点で異なる。この変位センサ７としては、例えば、質量（重り）をはり（片端又は両端で支持された弾性を有する支持体）等の変位可能な支持体により支持し、この質量の反作用として動く支持体の変位を静電容量や渦電流等で電気信号に変換して出力する公知の静電容量型変位計、渦電流型変位計等が使用できる。この支持体を変位させるには、その配置付近を軽く叩く等の軽い衝撃を与えれば良い。変位センサ７が検出する変位の方向としては、１軸でも良いし、２軸（上下、左右等）でも、３軸（上下、左右、前後）でも良い。検出方向が２軸、３軸である変位センサ７の検出信号としては、論理和出力のものであっても良いし、方向別に出力するものであっても良いが、変位の与え方の属性として変位の方向を用いる動作例では方向別に出力するものを使用する。
【００３７】
この実施例の動作例に関しては、第１の実施例の動作例と同様であるが、動き検出手段７が変位センサであるため、携帯電話機１に与えられた動きが質量（重り）の支持体の変位である点が異なり、識別する属性が異なる。すなわち、図３のフローチャートを用いて動作例を説明すると、ステップ１，２は第１の実施例と同様であるが、ステップＳ３では変位センサ７を用いて質量の支持体の変位を検出し、ユーザが意図的に携帯電話機１に質量の支持体の変位を与えたか否かを、周期的に或いは割り込みによって検出する。次に、ユーザが意図的に電話機本体２の内部に配置した質量の支持体に変位を与えたことを検出した場合、ステップＳ４では、動きデータ生成手段１０が、例えば、変位センサ７の検出信号から質量の支持体の変位の大きさを検出してＡ／Ｄ変換し、質量の支持体の変位の与え方として質量の支持体の変位の大きさを示す動きデータを生成する。続いて、ステップＳ５では、入力情報識別手段１１が、この動きデータを取り込み、質量の支持体の変位の与え方に関する属性として、質量の支持体に大きい変位を与えたか質量の支持体に小さい変位を与えたか等の属性を識別し、ステップ６では、識別した属性に対応する情報として、例えば、大きい変位による場合には後方への表示スクロールやページ送り等の指示情報を、小さい変位による場合には前方への表示スクロールやページ戻り等の指示情報を処理手段８ａが実行している処理に対応して入力する。これを受けて、処理手段８ａは入力された指示を実行する。
【００３８】
質量の支持体の変位の与え方の属性として、質量の支持体の変位の方向を用いる場合には、２軸又は３軸の方向別の検出信号を出力する変位センサを用いる。この場合の動作例は、第１の実施例の動作の第２例から容易に類推可能なので説明は省略する。また、質量の支持体の変位の与え方の属性として、質量の支持体の変位の発生回数を用いる場合には、ステップ４において、動きデータ生成手段１０が、変位センサ７の検出信号から質量の支持体の変位の発生回数をカウントし、質量の支持体への変位の与え方として変位の発生回数を示す動きデータを生成する。この場合の動作例は、第１の実施例の動作の第３例から容易に類推可能なのでその他の説明は省略する。
【００３９】
以上、この発明の実施例を図面により詳述してきたが、具体的な構成はこの実施例に限られるものではなく、この発明の要旨を逸脱しない範囲の設計の変更等があってもこの発明に含まれる。例えば、第１の実施例では、振動の与え方に関する属性を識別する例として、振動の周波数、方向、断続回数を用いる例を示したが、この例に限るものではなく、振動の継続時間、振動の強さ等を用いることも可能である。また、第２の実施例では、衝撃の与え方に関する属性を識別する例として、衝撃の強さ、方向、回数を用いる例を示したが、この例に限るものではなく、衝撃が与えられた位置（この場合、複数箇所に加速度センサを配置する）、時間間隔等を用いることも可能である。さらに、第３の実施例では、質量の支持体の変位の与え方に関する属性を識別する例として、変位の大きさ、方向、発生回数を用いる例を示したが、この例に限るものではなく、変位が与えられた位置（この場合、複数箇所に変位センサを配置する）、変位の発生時間間隔等を用いることも可能である。
【００４０】
上述の実施例では、動きの与え方に関する属性として、強／弱、高／低、大きい／小さい等のように２段階の属性としているが、強／中／弱、高／中／低、大きい／中程度／小さい等のように３段階以上の属性としても良い。また、上述の動作例では、振動の周波数、方向、断続回数等のいずれかを単独で用いて識別し情報入力を行っているが、それらの２以上の属性を組み合わせて識別し情報入力することも可能である。例えば、周波数の２つの属性と、方向の３つの属性を組み合わせて識別すれば、６通りの情報を入力することが可能となる。一つの属性に対応する情報は一つの情報に固定しても良いが、処理手段８ａが実行する処理の違いによって異なる情報に対応させることも可能である。また、入力情報の例は上記実施例に限られるものではなく、発呼や着呼応答等も好適である。また、動き検出手段７の配置は、図１に示される位置に限定されることなく、小型化を損なわないように、電話機本体２内部のデッドスペースや回路基板等に配置したり、既製品に付加したりすることもできる。
【００４１】
さらに、動きデータ生成手段（Ａ／Ｄ変換機能等は除く）１０や入力情報識別手段１１の一部もしくは全部は、制御部８内のＣＰＵでプログラム処理により実現することが可能であり、このプログラムをＲＯＭ等の記憶媒体に記憶させて配布したり、携帯電話機１等の携帯端末に実装したり、このプログラムを電子通信によって携帯電話機１等の携帯端末にインストールしたりすることが可能である。
【産業上の利用可能性】
【００４２】
この発明は、携帯電話機に限らず、携帯情報端末等の各種の携帯端末に広く適用して、携帯端末の小型高機能化に寄与することができる。
【図面の簡単な説明】
【００４３】
【図１】この発明の一実施例である携帯電話機の外観図である。
【図２】この発明の一実施例である携帯電話機の電気的構成を示すブロック図である。
【図３】この発明の一実施例である携帯電話機の動作例を示すフローチャートである。
【符号の説明】
【００４４】
１  携帯電話機（携帯端末）
７  動き検出手段、振動センサ、加速度センサ、変位センサ
８  制御部
８ａ  処理手段
１０  動きデータ生成手段
１１  入力情報識別手段
【図１】
2005332118.tif 000003
【図２】
2005332118.tif 000004
【図３】
2005332118.tif 000005